(57)【要約】【課題】本柱を所定の根開き寸法で支持する支柱の長さ寸法を、現場で直感的に示すことができる携帯型の道具を得ること。【解決手段】透光性を有する長尺形状の基本形態を有する本柱尺１０１と根開き尺２０１と支柱尺３０１とで本柱と地面と支柱とがなす三角形を視覚的に表現する。本柱尺の根入れ深さに合わせた地際目盛１０４の位置に根開き尺２０１を位置合わせし、支柱の根開き寸法に合わせた根開き目盛２０２の位置に支柱尺３０１を位置合わせし、支柱の根入れ深さに合わせた根入れ深さ目盛３０４の位置を根開き尺２０１に位置合わせし、本柱に支柱を連結する高さに合わせた本柱目盛１０２の位置に支柱尺３０１を回動させて位置合わせし、本柱目盛１０２に重なり合う支柱目盛３０２によって示される寸法をもって、求める支柱の長さ寸法を表示する。【選択図】図１
2010049486.tif 000002
【特許請求の範囲】
【請求項１】
透光性を有する長尺形状の基本形態を有し、本柱の長さ寸法を示す本柱目盛と、前記本柱の長さに応じた前記本柱目盛０値からの根入れ深さ寸法を示す地際目盛と、が表示された本柱尺と、
透光性を有する長尺形状の基本形態を有し、前記本柱尺に対して直角をなす角度で当該本柱尺の長手方向に沿って移動自在に取り付けられ、前記本柱尺からの根開き寸法を示す根開き目盛が表示された根開き尺と、
透光性を有する長尺形状の基本形態を有し、前記根開き尺に対して回動自在かつ当該根開き尺の長手方向及び自己の長手方向に沿って移動自在に取り付けられて、前記本柱を所定の根開き寸法で支持する支柱の長さ寸法を示す支柱目盛と、前記支柱目盛に合わせて前記本柱の長さ寸法に応じた根入れ深さ寸法を示す根入れ深さ目盛と、が表示された支柱尺と、
を備える支柱丈表示尺。
【請求項２】
前記根開き尺は、前記本柱尺に対して回動自在に取り付けられている、請求項１記載の支柱丈表示尺。
【請求項３】
前記根入れ深さ目盛は、前記本柱尺に対して前記根開き尺を傾斜させて設定する前記本柱の地際に対する前記支柱の地際の高低差に応じて前記本柱尺に対する前記支柱尺の傾斜角度を大きくする修正量を示している、請求項２記載の支柱丈表示尺。
【請求項４】
前記支柱尺を前記根開き尺に対して回動自在で当該根開き尺の長手方向及び自己の長手方向に沿って移動自在に取り付ける構造は、前記根開き尺にその長手方向に延出させて形成した根開き溝と前記支柱尺にその長手方向に延出させて形成した支柱溝とを挿通する連結軸の両端で前記根開き尺と前記支柱尺とを締結する締結部材によって形成され、
前記根入れ深さ目盛は、前記支柱溝に連通して前記連結軸を嵌合自在の修正溝によって形成されている、
請求項３記載の支柱丈表示尺。
【請求項５】
前記本柱尺は、前記地際目盛に合わせて前記本柱の長さ寸法に応じた前記支柱尺の根入れ深さを示す根入れ深さ参考目盛を表示している、請求項１ないし４のいずれか一記載の支柱丈表示尺。
【発明の詳細な説明】
【技術分野】
【０００１】
本発明は、本柱を所定の根開き寸法で支持する支柱の長さ寸法を視覚的に示す支柱丈表示尺に関する。
【背景技術】
【０００２】
配電線工事等に際しては、本柱に対して、本柱を所定の根開き寸法で支持する支柱を設置しなければならない場合がある。このような場合、本柱への取り付け高さ寸法及び根開き寸法によって最適な長さの支柱を選定しなければならない。そこで、従来は、三平方の定理を用いて支柱の長さ寸法を計算したり、縮尺図面を作成して支柱の長さ寸法を求めたりする、ということが行なわれている。
【０００３】
なお、特許文献１には、電柱が倒壊しないように電柱を保持する支持線の支線種別等を視覚的に示すことができるようにした携帯用支線種別決定盤が開示されている。
【０００４】
【特許文献１】実用新案登録第２５２９３３９号公報
【発明の開示】
【発明が解決しようとする課題】
【０００５】
三平方の定理を用いて支柱の長さ寸法を計算する方法は、現場での対応が可能であるという利点を有する反面、現場における現実世界を数値という抽象的なものに置き換えて示すため、直感的に分かりにくい。しかも、支柱の長さ寸法の決定には、
・本柱への取り付け高さ寸法
・本柱に対する根開き寸法
・本柱の根入れ深さと支柱の根入れ深さ
という各種要素が関係してくるため、その計算が面倒である。
【０００６】
また、縮尺図面を作成して支柱の長さ寸法を求める方法には、現場での作業ができないという不都合がある。その上に、計算の面倒さこそないものの、作図というより一層面倒な作業が不可避である。
【０００７】
このようなことから、支柱の長さ寸法についても、特許文献１に記載されているような解を視覚的に示し得る携帯型の道具の実現が望まれる。
【０００８】
本発明は、このような点に鑑みなされたもので、本柱を所定の根開き寸法で支持する支柱の長さ寸法を、現場で直感的に分かる態様で示すことができる携帯型の道具を得ることを目的とする。
【課題を解決するための手段】
【０００９】
本発明の支柱丈表示尺は、透光性を有する長尺形状の基本形態を有し、本柱の長さ寸法を示す本柱目盛と、前記本柱の長さに応じた前記本柱目盛０値からの根入れ深さ寸法を示す地際目盛と、が表示された本柱尺と、透光性を有する長尺形状の基本形態を有し、前記本柱尺に対して直角をなす角度で当該本柱尺の長手方向に沿って移動自在に取り付けられ、前記本柱尺からの根開き寸法を示す根開き目盛が表示された根開き尺と、透光性を有する長尺形状の基本形態を有し、前記根開き尺に対して回動自在かつ当該根開き尺の長手方向及び自己の長手方向に沿って移動自在に取り付けられて、前記本柱を所定の根開き寸法で支持する支柱の長さ寸法を示す支柱目盛と、前記支柱目盛に合わせて前記本柱の長さ寸法に応じた根入れ深さ寸法を示す根入れ深さ目盛と、が表示された支柱尺と、を備える。
【発明の効果】
【００１０】
本発明によれば、本柱尺の根入れ深さに合わせた地際目盛の位置に根開き尺を位置合わせし、支柱の根開き寸法に合わせた根開き目盛の位置に支柱尺を位置合わせし、支柱の根入れ深さに合わせた根入れ深さ目盛の位置を根開き尺に位置合わせし、本柱に支柱を連結する高さに合わせた本柱目盛の位置に支柱尺を回動させて位置合わせし、本柱目盛に重なり合う支柱目盛によって示される寸法をもって、求める支柱の長さ寸法を、現場における現実世界を表象した視覚形態で示すことができ、したがって、支柱の長さ寸法を現場で直感的に分かる態様で示すことができる。
【発明を実施するための最良の形態】
【００１１】
本発明の第１の実施の形態を図１ないし図５に基づいて説明する。
【００１２】
図１は、支柱丈表示尺１１の正面図である。支柱丈表示尺１１は、本柱尺１０１と根開き尺２０１とが締結部材４０１によって結合され、根開き尺２０１と支柱尺３０１とが締結部材４５１によって結合されて構成されている。これらの本柱尺１０１と根開き尺２０１と支柱尺３０１とは、実際の現場における本柱と地面と支柱とがなす三角形（いずれも図示せず）を視覚的に表現している。
【００１３】
図２は、支柱丈表示尺１１の各部として、（ａ）は本柱尺１０１、（ｂ）は根開き尺２０１、（ｃ）は支柱尺３０１をそれぞれ示す正面図である。以下、図１も参照しながら、本柱尺１０１、根開き尺２０１及び支柱尺３０１について詳細に説明する。
【００１４】
まず、本柱尺１０１について説明する。本柱尺１０１は、例えばアクリル樹脂によって形成され、透光性を有する長尺形状の基本形態を有している。このような本柱尺１０１は、０から１７メートル（ｍ）までに対応する本柱目盛１０２を所定の縮尺で有している。そして、本柱尺１０１は、その長手方向に根開き尺２０１を移動自在にするための構造として、長手方向に沿う本柱溝１０３を有している。
【００１５】
このような本柱尺１０１には、現実の本柱の長さに応じた本柱の根入れ深さ寸法を示す地際目盛１０４が記されている。この地際目盛１０４は、本柱の根入れ深さ寸法を示すが故に、本柱目盛１０２の０値からの寸法として設定される。本柱の根入れ深さは、本柱の長さ寸法に応じて異なるため、地際目盛１０４もこれに対応している。例えば、１２メートル（ｍ）の本柱であれば、２メートル（ｍ）程度の根入れ深さであるのに対して、８メートル（ｍ）の本柱であれば１．２メートル（ｍ）程度の根入れ深さでよく、反対に１５メートル（ｍ）の本柱であれば２．５メートル（ｍ）程度の根入れ深さが要求される。そこで、地際目盛１０４は、そのような現実の本柱の長さに応じた本柱の根入れ深さ寸法を本柱目盛１０２の０値からの寸法として示している。
【００１６】
また、本柱尺１０１には、本柱を支持させる支柱の根入れ深さ参考目盛１０５も記されている。図１及び図２（ａ）中、地際目盛１０４は本柱尺１０１の左側、根入れ深さ参考目盛１０５は本柱尺１０１の右側にそれぞれ配置されている。支柱の根入れ深さは、通常、最低１メートル（ｍ）であって、かつ、本柱の根入れ深さの１／２以上の深さが必要であるとされている。そこで、根入れ深さ参考目盛１０５は、本柱目盛１０２の０値からの寸法として、地際目盛１０４の半分の値で示されている。
【００１７】
ここで、本柱目盛１０２、地際目盛１０４及び根入れ深さ参考目盛１０５は、本柱尺１０１に記された線と文字とによって形成されている。この場合の線及び文字は、本柱尺１０１の表面に印刷する、本柱尺１０１の表面に凹溝処理を施して凹溝内に塗料を塗る等、各種の常套的な手法によって本柱尺１０１に記すことができる。
【００１８】
次に、根開き尺２０１について説明する。根開き尺２０１は、例えばアクリル樹脂によって形成され、透光性を有する長尺形状の基本形態を有している。このような根開き尺２０１は、０から９メートル（ｍ）までに対応する根開き目盛２０２を所定の縮尺で有している。所定の縮尺は、本柱尺１０１に表示されている本柱目盛１０２の縮尺と同一縮尺である。
【００１９】
根開き尺２０１は、その長手方向に支柱尺３０１を移動自在とするための構造として、長手方向に沿う根開き溝２０３を有している。この根開き溝２０３は、０から９メートル（ｍ）を越えた領域まで形成されており、支柱尺３０１を０から９メートル（ｍ）までの根開きに設定することができる。
【００２０】
また、根開き尺２０１は、根開き目盛２０２の０値の部分に連結孔２０４を有している。この連結孔２０４は、一方の締結部材４０１によって根開き尺２０１を本柱尺１０１に連結するために用いられる。その詳細については後述する。
【００２１】
ここで、根開き目盛２０２は、根開き尺２０１に記された線と文字とによって形成されている。この場合の線及び文字は、根開き尺２０１の表面に印刷する、根開き尺２０１の表面に凹溝処理を施して凹溝内に塗料を塗る等、各種の常套的な手法によって根開き尺２０１に記すことができる。
【００２２】
次に、支柱尺３０１について説明する。支柱尺３０１は、例えばアクリル樹脂によって形成され、透光性を有する長尺形状の基本形態を有している。このような根開き尺２０１は、０から１７メートル（ｍ）までに対応する支柱目盛３０２を所定の縮尺で有している。所定の縮尺は、本柱尺１０１に表示されている本柱目盛１０２の縮尺と同一縮尺である。そして、支柱尺３０１は、根開き尺２０１に対して回動自在であり、しかも根開き尺２０１に対して自己の長手方向に移動自在にするための構造として、長手方向に沿う支柱溝３０３を有している。
【００２３】
このような支柱尺３０１には、現実の本柱の長さに応じた支柱の根入れ深さ寸法を示す根入れ深さ目盛３０４が記されている。この根入れ深さ目盛３０４は、支柱の根入れ深さ寸法を示すが故に、根入れ深さ目盛３０４の０値からの寸法として設定される。支柱の根入れ深さは、本柱の長さ寸法に応じて異なるため、根入れ深さ目盛３０４もこれに対応している。例えば、１２メートル（ｍ）の本柱であれば、支柱の根入れ深さは本柱の根入れ深さ（２メートル（ｍ））の１／２である１メートル（ｍ）程度の根入れ深さであるのに対して、１５メートル（ｍ）の本柱であれば、支柱の根入れ深さは本柱の根入れ深さ（２．５メートル（ｍ））の１／２である１．２５メートル（ｍ）程度の根入れ深さが要求される。そこで、根入れ深さ目盛３０４は、そのような現実の本柱の長さに応じた支柱の根入れ深さ寸法を根入れ深さ目盛３０４の０値からの寸法として示している。
【００２４】
ここで、支柱目盛３０２及び根入れ深さ目盛３０４は、支柱尺３０１に記された線と文字とによって形成されている。この場合の線及び文字は、支柱尺３０１の表面に印刷する、支柱尺３０１の表面に凹溝処理を施して凹溝内に塗料を塗る等、各種の常套的な手法によって支柱尺３０１に記すことができる。
【００２５】
図３（ａ）は、本柱尺１０１と根開き尺２０１とを締結する締結部材４０１の分解状態から連結状態への変化を示す側面図である。締結部材４０１は、雄ねじ４０２を有する基部４０３に操作ノブ４０４がねじ止めされて形成されている。操作ノブ４０４は、雄ねじ４０２に螺合する雌ねじ（図示せず）を内周面に有する連結軸４０５を有し、この連結軸４０５の雌ねじを基部４０３の雄ねじ４０２に螺合させることで、基部４０３に連結結合される。
【００２６】
操作ノブ４０４が有する連結軸４０５は根開き尺２０１の根開き目盛２０２の０値の位置に形成されている連結孔２０４に嵌合する。そこで、本柱尺１０１に根開き尺２０１を重ね合せ、本柱尺１０１の本柱溝１０３に根開き溝２０３の連結孔２０４を位置合わせし、連結孔２０４に操作ノブ４０４の連結軸４０５を挿通させ、裏面側からその連結軸４０５に形成されている雌ねじに基部４０３の雄ねじ４０２を螺合させて締め付けることで、本柱尺１０１と根開き尺２０１とが締結される。そして、操作ノブ４０４を僅かに回転させることで締結部材４０１による本柱尺１０１と根開き尺２０１との締結が緩められる。この状態では、本柱尺１０１に対して根開き尺２０１が回動自在であり、しかも、本柱尺１０１の本柱溝１０３内で締結部材４０１の連結軸４０５をスライド移動させて根開き尺２０１を本柱尺１０１の長手方向に沿って移動させることができる。
【００２７】
図３（ｂ）は、根開き尺２０１と支柱尺３０１とを締結する締結部材４５１の分解状態から連結状態への変化を示す側面図である。締結部材４５１は、雄ねじ４５２を有する基部４５３に操作ノブ４５４がねじ止めされて形成されている。操作ノブ４５４は、雄ねじ４５２に螺合する雌ねじ（図示せず）を内周面に有する連結軸４５５を有し、この連結軸４５５の雌ねじを基部４５３の雄ねじ４５２に螺合させることで、基部４５３に連結結合される。
【００２８】
締結部材４５１が有する連結軸４５５は、根開き尺２０１の根開き溝２０３及び支柱尺３０１の支柱溝３０３を挿通することができる径に形成されている。そこで、根開き尺２０１に支柱尺３０１を重ね合わせ、根開き尺２０１の根開き溝２０３と支柱尺３０１の支柱溝３０３とに操作ノブ４５４の連結軸４５５を挿通させ、裏面側からその連結軸４５５に形成されている雌ねじに基部４５３の雄ねじ４５２を螺合させて締め付けることで、根開き尺２０１と支柱尺３０１とが締結される。そして、操作ノブ４５４を僅かに回転させることで締結部材４５１による根開き尺２０１と支柱尺３０１との締結が緩められる。この状態では、根開き尺２０１に対して支柱尺３０１が回動自在であり、しかも、根開き尺２０１の根開き溝２０３及び支柱尺３０１の支柱溝３０３内で締結部材４５１の連結軸４５５をスライド移動させることができる。これにより、支柱尺３０１を根開き尺２０１の長手方向に移動させることができ、また、支柱尺３０１は根開き尺２０１に対して自己の長手方向に移動自在である。
【００２９】
このような構成において、支柱丈表示尺１１を用いた支柱の長さ選定方法について説明する。この方法を実施するに際して、本柱の地際と支柱の地際とが同一の高さである場合と両者間に高低差がある場合とがある。それぞれの場合において、支柱丈表示尺１１の使用態様が相違する。そこで、以下、本柱の地際と支柱の地際とが同一の高さである場合の使用態様と両者間に高低差がある場合の使用態様とを分けて説明する。
【００３０】
図４は、本柱の地際と支柱の地際とが同一の高さである場合の使用態様を説明するための模式図である。この例は、
・本柱  ：１２メートル（ｍ）
・根開き：  ３メートル（ｍ）
・本柱の頭頂部から１．３メートル（ｍ）の位置に支柱を連結
という条件の一例である。このような条件の下で、支柱丈表示尺１１によって支柱の長さを求める手順は次の通りである。
【００３１】
（１）支柱の根入れ深さに合わせた根開き尺２０１の位置設定
まず、支柱の根入れ深さに合わせて、本柱尺１０１に対する根開き尺２０１の位置を設定する。根開き尺２０１の位置を設定するには、操作ノブ４０４を反時計方向に回して締結部材４０１を少し緩め、本柱尺１０１の本柱溝１０３内を締結部材４０１の連結軸４０５が移動できるようにする。これにより、本柱尺１０１に対してその長手方向に根開き尺２０１を移動させることができる。そして、本柱尺１０１に対して根開き尺２０１を位置合わせした後、操作ノブ４０４を時計方向に回して締結部材４０１を締め付け、本柱尺１０１と根開き尺２０１とを締結状態にする。
【００３２】
本例の場合、本柱が１２メートル（ｍ）であるので、１２メートル（ｍ）の地際目盛１０４の位置に根開き尺２０１を位置合わせする。位置合わせする部位は、根開き溝２０３の下縁部分である。図４に示すように、地際目盛１０４中の１２メートル（ｍ）の位置は本柱目盛１０２の２メートル（ｍ）の位置である。これは、１２メートル（ｍ）の本柱であれば２メートル（ｍ）の根入れ深さをもって根入れされていることに基づいている。
【００３３】
（２）根開き寸法に合わせた支柱尺３０１の位置設定
次いで、支柱の根開き寸法に合わせて、根開き尺２０１に対する支柱尺３０１の位置を設定する。支柱尺３０１の位置を設定するには、操作ノブ４５４を反時計方向に回して締結部材４５１を少し緩め、根開き尺２０１の根開き溝２０３内を締結部材４５１の連結軸４５５が移動できるようにする。これにより、根開き尺２０１に対してその長手方向に支柱尺３０１を移動させることができる。
【００３４】
本例の場合、根開きが３メートル（ｍ）であるので、３メートル（ｍ）の根開き目盛２０２の位置に締結部材４５１の連結軸４５５を位置合わせする。
【００３５】
（３）支柱の根入れ深さに合わせた支柱尺３０１の位置設定
次いで、支柱の根入れ深さに合わせて、支柱尺３０１の位置を設定する。この際、上記（２）の手順に際して締結部材４５１が緩められているので、締結部材４５１の連結軸４５５が支柱尺３０１の支柱溝３０３内を移動自在となっている。そこで、根開き尺２０１に対して支柱尺３０１を移動させ、その位置を設定する。本例の場合、本柱が１２メートル（ｍ）であるので、支柱尺３０１に記されている根入れ深さ目盛３０４中、１２メートル（ｍ）の位置を締結部材４５１の連結軸４５５に位置合わせする。根入れ深さ目盛３０４中の１２メートル（ｍ）の位置は支柱目盛３０２の１メートル（ｍ）の位置である。これは、支柱の根入れ深さは１メートル（ｍ）以上であって、本柱の根入れ深さの１／２程度であることに基づいている。つまり、本例の場合、本柱の根入れ深さは２メートル（ｍ）なので、支柱の根入れ深さは１メートル（ｍ）ということになる。
【００３６】
（４）本柱に対する支柱の連結位置に合わせた支柱尺３０１の角度設定
そして、最後の手順として、支柱尺３０１の角度設定を行なう。本例では、本柱に対する支柱の取り付け位置が本柱の頭頂部から１．３メートル（ｍ）の位置である。そこで、本柱尺１０１の本柱目盛１０２中、図４において黒丸で示す当りが本柱の対する支柱の連結点ということになる。この黒丸は、説明の便宜上から図４に表記しているものであり、支柱丈表示尺１１には表示されていない仮想的な印である。あるいは、図４に示す黒丸は、作業時において、作業者が目印のための本柱尺１０１に記した印と解釈してもよい。いずれにしても、仮想的な黒丸あるいは作業時に付した黒丸の位置に、支柱尺３０１の中央部を位置合わせする。そして、本柱尺１０１に対して支柱尺３０１の角度を設定した後、操作ノブ４５４を時計方向に回して締結部材４５１を締め付け、根開き尺２０１と支柱尺３０１とを締結状態にする。これにより、黒丸が重なり合う支柱尺３０１の支柱目盛３０２によって、支柱の長さが表示される。
【００３７】
以上説明した（１）〜（４）の手順によって、支柱丈表示尺１１によって支柱の長さを求めることができる。この際、支柱丈表示尺１１は、本柱尺１０１が本柱を、根開き尺２０１が地面を、支柱尺３０１が支柱を、それぞれ模した形状となる。このため、求める支柱の長さ寸法を、現場における現実世界を表象した視覚形態で示すことができる。これにより、作業者に対して、支柱の長さ寸法を現場で直感的に分かる態様で示すことができる。
【００３８】
図５は、本柱の地際と支柱の地際との間に高低差がある場合の使用態様を説明するための模式図である。この例は、
・本柱  ：１２メートル（ｍ）
・地際高：＋２メートル（ｍ）
・根開き：  ５メートル（ｍ）
・本柱の頭頂部から１．３メートル（ｍ）の位置に支柱を連結
という条件の一例である。このような条件の下で、支柱丈表示尺１１によって支柱の長さを求める手順は次の通りである。
【００３９】
（１）支柱の根入れ深さに合わせた根開き尺２０１の位置設定
まず、支柱の根入れ深さに合わせて、本柱尺１０１に対する根開き尺２０１の位置を設定する。根開き尺２０１の位置を設定するには、操作ノブ４０４を反時計方向に回して締結部材４０１を少し緩め、本柱尺１０１の本柱溝１０３内を締結部材４０１の連結軸４０５が移動できるようにする。これにより、本柱尺１０１に対してその長手方向に根開き尺２０１を移動させることができる。
【００４０】
本例の場合、本柱が１２メートル（ｍ）であるので、１２メートル（ｍ）の地際目盛１０４の位置に根開き尺２０１を位置合わせする。位置合わせする部位は、根開き溝２０３の下縁部分である。図５に示すように、地際目盛１０４中の１２メートル（ｍ）の位置は本柱目盛１０２の２メートル（ｍ）の位置である。これは、１２メートル（ｍ）の本柱であれば２メートル（ｍ）の根入れ深さをもって根入れされていることに基づいている。
【００４１】
（２−１）地際高寸法に合わせた根開き尺２０１の位置設定
本例の場合、支柱の根開き寸法は５メートル（ｍ）である。そこで、根開き尺２０１の根開き目盛２０２の５メートル（ｍ）位置を地際高寸法に合わせる。つまり、地際高は、本柱の地際に対する支柱の地際の高低差である。本例の場合、地際高寸法が＋２メートル（ｍ）であるので、支柱の地際は本柱の地際から２メートル（ｍ）高い位置に位置付けられることになる。そこで、上記（１）の手順で設定した地際目盛１０４中の１２メートル（ｍ）の位置である本柱目盛１０２の２メートル（ｍ）の位置から更に＋２メートル（ｍ）の位置である本柱目盛１０２の４メートル（ｍ）の位置に、根開き尺２０１の根開き目盛２０２の５メートル（ｍ）位置を合わせる。
【００４２】
これにより、本柱尺１０１に対する根開き尺２０１の位置及び角度が設定されるので、操作ノブ４０４を時計方向に回して締結部材４０１を締め付け、本柱尺１０１と根開き尺２０１とを締結状態にする。
【００４３】
（２−２）根開き寸法に合わせた支柱尺３０１の位置設定
次いで、支柱の根開き寸法に合わせて、根開き尺２０１に対する支柱尺３０１の位置を設定する。支柱尺３０１の位置を設定するには、操作ノブ４５４を反時計方向に回して締結部材４５１を少し緩め、根開き尺２０１の根開き溝２０３内を締結部材４５１の連結軸４５５が移動できるようにする。これにより、根開き尺２０１に対してその長手方向に支柱尺３０１を移動させることができる。
【００４４】
本例の場合、根開きが５メートル（ｍ）であるので、５メートル（ｍ）の根開き目盛２０２の位置に締結部材４５１の連結軸４５５を位置合わせする。
【００４５】
（３）支柱の根入れ深さに合わせた支柱尺３０１の位置設定
次いで、支柱の根入れ深さに合わせて、支柱尺３０１の位置を設定する。この際、上記（２）の手順に際して締結部材４５１が緩められているので、締結部材４５１の連結軸４５５が支柱尺３０１の支柱溝３０３内を移動自在となっている。そこで、根開き尺２０１に対して支柱尺３０１を移動させ、その位置を設定する。本例の場合、本柱が１２メートル（ｍ）であるので、支柱尺３０１に記されている根入れ深さ目盛３０４中、１２メートル（ｍ）の位置を締結部材４５１の連結軸４５５に位置合わせする。根入れ深さ目盛３０４中の１２メートル（ｍ）の位置は支柱目盛３０２の１メートル（ｍ）の位置である。これは、支柱の根入れ深さは１メートル（ｍ）以上であって、本柱の根入れ深さの１／２程度であることに基づいている。つまり、本例の場合、本柱の根入れ深さは２メートル（ｍ）なので、支柱の根入れ深さは１メートル（ｍ）ということになる。
【００４６】
（４）本柱に対する支柱の連結位置に合わせた支柱尺３０１の角度設定
そして、最後の手順として、支柱尺３０１の角度設定を行なう。本例では、本柱に対する支柱の取り付け位置が本柱の頭頂部から１．３メートル（ｍ）の位置である。そこで、本柱尺１０１の本柱目盛１０２中、図５において黒丸で示す当りが本柱の対する支柱の連結点ということになる。この黒丸は、説明の便宜上から図５に表記しているものであり、支柱丈表示尺１１には表示されていない仮想的な印である。あるいは、図５に示す黒丸は、作業時において、作業者が目印のための本柱尺１０１に記した印と解釈してもよい。いずれにしても、仮想的な黒丸あるいは作業時に付した黒丸の位置に、支柱尺３０１の中央部を位置合わせする。そして、本柱尺１０１に対して支柱尺３０１の角度を設定した後、操作ノブ４５４を時計方向に回して締結部材４５１を締め付け、根開き尺２０１と支柱尺３０１とを締結状態にする。これにより、黒丸が重なり合う支柱尺３０１の支柱目盛３０２によって、支柱の長さが表示される。
【００４７】
以上説明した（１）〜（４）の手順によって、支柱丈表示尺１１によって支柱の長さを求めることができる。この際、支柱丈表示尺１１は、本柱尺１０１が本柱を、根開き尺２０１が地面を、支柱尺３０１が支柱を、それぞれ模した形状となる。このため、求める支柱の長さ寸法を、現場における現実世界を表象した視覚形態で示すことができる。これにより、作業者に対して、支柱の長さ寸法を現場で直感的に分かる態様で示すことができる。
【００４８】
本発明の第２の実施の形態を図６ないし図９に基づいて説明する。図１ないし図５に基づいて説明した第１の実施の形態と同一部分については同一符号で示してその説明も省略する。
【００４９】
図６は、支柱丈表示尺１１の正面図である。第１の実施の形態の支柱丈表示尺１１と相違する点は、支柱尺３０１に形成されている根入れ深さ目盛３０４である。本実施の形態の根入れ深さ目盛３０４は、線と文字とによって形成されている。この場合、根入れ深さ目盛３０４を形成する「文字」は、支柱尺３０１の表面に印刷する、支柱尺３０１の表面に凹溝処理を施して凹溝内に塗料を塗る等、各種の常套的な手法によって支柱尺３０１に記されている。これに対して、根入れ深さ目盛３０４を形成する「線」は、支柱尺３０１を貫通する溝構造を有している。
【００５０】
図７は、支柱丈表示尺の各部として、（ａ）は本柱尺、（ｂ）は根開き尺、（ｃ）は支柱尺をそれぞれ示す正面図である。図６及び図７（ｃ）に示すように、根入れ深さ目盛３０４を形成する溝は、本柱尺１０１に対して根開き尺２０１を傾斜させて設定する本柱の地際に対する支柱の地際の高低差に応じて、本柱尺１０１に対する支柱尺３０１の傾斜角度を大きくする修正量を示している。これに加えて、根入れ深さ目盛３０４を形成する溝は、支柱溝３０３に連通して締結部材４５１の連結軸４５５を嵌合させることができる修正溝３０５として形成されている。
【００５１】
また、根入れ深さ目盛３０４は、その長手方向に延出させて、本柱の地際に対する支柱の高低差の大、中、小を示す表示を有している。この表示は、支柱尺３０１の表面に印刷する、支柱尺３０１の表面に凹溝処理を施して凹溝内に塗料を塗る等、各種の常套的な手法によって支柱尺３０１に記されており、修正溝３０５を横切る線と「大」、「中」、「小」の文字とからなる。修正溝３０５の「大」、「中」、「小」は、本柱の地際に対する支柱の高低差が、大きい、中くらい、小さいことをそれぞれ示している。
【００５２】
ここで、支柱尺３０１において、根入れ深さ目盛３０４を形成する修正溝３０５は、支柱溝３０３よりも右側の領域にのみ形成されている。その結果、本柱尺１０１と根開き尺２０１と支柱尺３０１とが三角形をなしている状態で、本柱尺１０１において示される本柱に対する支柱の連結位置をずらすことなく、締結部材４５１の連結軸４５５を支柱尺３０１において支柱溝３０３から修正溝３０５に移動させると、支柱尺３０１は本柱尺１０１に対する傾斜角度を深める。これにより、支柱尺３０１において示される支柱の長さが僅かに長くなり、支柱丈表示尺１１において示される支柱の長さ表示が正しく修正される。その理由を次に説明する。
【００５３】
本柱に支柱を取り付けて補強する場合、本柱に対する根開き寸法は、本柱からの水平方向寸法である。支柱を法面に設置する場合も同様である。これに対して、本実施の形態の支柱丈表示尺１１では、支柱を法面に設置する場合、本柱尺１０１に対して根開き尺２０１を回動させる。このため、本柱尺１０１から直角にとった根開き尺２０１の根開き目盛２０２までの寸法は、本柱尺１０１に対して根開き尺２０１の回動量が増せば増すほど、実際の根開き寸法よりも減少してしまう。このため、根開き尺２０１に対する支柱尺３０１の連結位置は、本柱に対する支柱の現実の設置位置よりも僅かに本柱に近接するほうにずれた位置を示すことになる。このため、現実世界における本柱に対する支柱の傾斜角度よりも、支柱丈表示尺１１に示される本柱尺１０１に対する支柱尺３０１の傾斜角度が狭まる。そこで、支柱尺３０１において、締結部材４５１の連結軸４５５を支柱溝３０３から修正溝３０５に移動させることで、支柱尺３０１は本柱尺１０１に対する傾斜角度を深めることができ、これにより、本柱尺１０１に対する支柱尺３０１の傾斜角度を現実世界における本柱に対する支柱の傾斜角度に近似させることが可能となる。その結果、支柱丈表示尺１１において、現実に必要な支柱の長さ寸法を示すことができる。
【００５４】
このような構成において、支柱丈表示尺１１を用いた支柱の長さ選定方法について説明する。この方法を実施するに際して、本柱の地際と支柱の地際とが同一の高さである場合と両者間に高低差がある場合とがある。それぞれの場合において、支柱丈表示尺１１の使用態様が相違する。そこで、以下、本柱の地際と支柱の地際とが同一の高さである場合の使用態様と両者間に高低差がある場合の使用態様とを分けて説明する。
【００５５】
図８は、本柱の地際と支柱の地際とが同一の高さである場合の使用態様を説明するための模式図である。この例は、
・本柱  ：１２メートル（ｍ）
・根開き：  ３メートル（ｍ）
・本柱の頭頂部から１．３メートル（ｍ）の位置に支柱を連結
という条件の一例である。このような条件の下で、支柱丈表示尺１１によって支柱の長さを求める手順は次の通りである。
【００５６】
（１）支柱の根入れ深さに合わせた根開き尺２０１の位置設定
まず、支柱の根入れ深さに合わせて、本柱尺１０１に対する根開き尺２０１の位置を設定する。根開き尺２０１の位置を設定するには、操作ノブ４０４を反時計方向に回して締結部材４０１を少し緩め、本柱尺１０１の本柱溝１０３内を締結部材４０１の連結軸４０５が移動できるようにする。これにより、本柱尺１０１に対してその長手方向に根開き尺２０１を移動させることができる。そして、本柱尺１０１に対して根開き尺２０１を位置合わせした後、操作ノブ４０４を時計方向に回して締結部材４０１を締め付け、本柱尺１０１と根開き尺２０１とを締結状態にする。
【００５７】
本例の場合、本柱が１２メートル（ｍ）であるので、１２メートル（ｍ）の地際目盛１０４の位置に根開き尺２０１を位置合わせする。位置合わせする部位は、根開き溝２０３の下縁部分である。図８に示すように、地際目盛１０４中の１２メートル（ｍ）の位置は本柱目盛１０２の２メートル（ｍ）の位置である。これは、１２メートル（ｍ）の本柱であれば２メートル（ｍ）の根入れ深さをもって根入れされていることに基づいている。
【００５８】
（２）根開き寸法に合わせた支柱尺３０１の位置設定
次いで、支柱の根開き寸法に合わせて、根開き尺２０１に対する支柱尺３０１の位置を設定する。支柱尺３０１の位置を設定するには、操作ノブ４５４を反時計方向に回して締結部材４５１を少し緩め、根開き尺２０１の根開き溝２０３内を締結部材４５１の連結軸４５５が移動できるようにする。これにより、根開き尺２０１に対してその長手方向に支柱尺３０１を移動させることができる。
【００５９】
本例の場合、根開きが３メートル（ｍ）であるので、３メートル（ｍ）の根開き目盛２０２の位置に締結部材４５１の連結軸４５５を位置合わせする。
【００６０】
（３）支柱の根入れ深さに合わせた支柱尺３０１の位置設定
次いで、支柱の根入れ深さに合わせて、支柱尺３０１の位置を設定する。この際、上記（２）の手順に際して締結部材４５１が緩められているので、締結部材４５１の連結軸４５５が支柱尺３０１の支柱溝３０３内を移動自在となっている。そこで、根開き尺２０１に対して支柱尺３０１を移動させ、その位置を設定する。本例の場合、本柱が１２メートル（ｍ）であるので、支柱尺３０１に記されている根入れ深さ目盛３０４中、１２メートル（ｍ）の位置を締結部材４５１の連結軸４５５に位置合わせする。根入れ深さ目盛３０４中の１２メートル（ｍ）の位置は、支柱目盛３０２としての表示はないが、支柱尺３０１において１メートル（ｍ）に相当する位置である。これは、支柱の根入れ深さは１メートル（ｍ）以上であって、本柱の根入れ深さの１／２程度であることに基づいている。つまり、本例の場合、本柱の根入れ深さは２メートル（ｍ）なので、支柱の根入れ深さは１メートル（ｍ）ということになる。
【００６１】
このような（３）の手順で留意すべき点は、支柱尺３０１において修正溝３０５を使用しないという点である。つまり、締結部材４５１の連結軸４５５を支柱尺３０１の根入れ深さ目盛３０４に位置付けておき、修正溝３０５に位置付けられないようにしておくことに留意する。
【００６２】
（４）本柱に対する支柱の連結位置に合わせた支柱尺３０１の角度設定
そして、最後の手順として、支柱尺３０１の角度設定を行なう。本例では、本柱に対する支柱の取り付け位置が本柱の頭頂部から１．３メートル（ｍ）の位置である。そこで、本柱尺１０１の本柱目盛１０２中、図８において黒丸で示す当りが本柱の対する支柱の連結点ということになる。この黒丸は、説明の便宜上から図８に表記しているものであり、支柱丈表示尺１１には表示されていない仮想的な印である。あるいは、図８に示す黒丸は、作業時において、作業者が目印のための本柱尺１０１に記した印と解釈してもよい。いずれにしても、仮想的な黒丸あるいは作業時に付した黒丸の位置に、支柱尺３０１の中央部を位置合わせする。そして、本柱尺１０１に対して支柱尺３０１の角度を設定した後、操作ノブ４５４を時計方向に回して締結部材４５１を締め付け、根開き尺２０１と支柱尺３０１とを締結状態にする。これにより、黒丸が重なり合う支柱尺３０１の支柱目盛３０２によって、支柱の長さが表示される。
【００６３】
このような（４）の手順で留意すべき点は、上記（３）の手順と同様に、支柱尺３０１において修正溝３０５を使用しないという点である。つまり、締結部材４５１の連結軸４５５を支柱尺３０１の根入れ深さ目盛３０４に位置付けておき、修正溝３０５に位置付けられないようにしておくことに留意する。
【００６４】
以上説明した（１）〜（４）の手順によって、支柱丈表示尺１１によって支柱の長さを求めることができる。この際、支柱丈表示尺１１は、本柱尺１０１が本柱を、根開き尺２０１が地面を、支柱尺３０１が支柱を、それぞれ模した形状となる。このため、求める支柱の長さ寸法を、現場における現実世界を表象した視覚形態で示すことができる。これにより、作業者に対して、支柱の長さ寸法を現場で直感的に分かる態様で示すことができる。
【００６５】
図９は、本柱の地際と支柱の地際との間に高低差がある場合の使用態様を説明するための模式図である。この例は、
・本柱  ：１２メートル（ｍ）
・地際高：＋２メートル（ｍ）
・根開き：  ５メートル（ｍ）
・本柱の頭頂部から１．３メートル（ｍ）の位置に支柱を連結
という条件の一例である。このような条件の下で、支柱丈表示尺１１によって支柱の長さを求める手順は次の通りである。
【００６６】
（１）支柱の根入れ深さに合わせた根開き尺２０１の位置設定
まず、支柱の根入れ深さに合わせて、本柱尺１０１に対する根開き尺２０１の位置を設定する。根開き尺２０１の位置を設定するには、操作ノブ４０４を反時計方向に回して締結部材４０１を少し緩め、本柱尺１０１の本柱溝１０３内を締結部材４０１の連結軸４０５が移動できるようにする。これにより、本柱尺１０１に対してその長手方向に根開き尺２０１を移動させることができる。
【００６７】
本例の場合、本柱が１２メートル（ｍ）であるので、１２メートル（ｍ）の地際目盛１０４の位置に根開き尺２０１を位置合わせする。位置合わせする部位は、根開き溝２０３の下縁部分である。図４に示すように、地際目盛１０４中の１２メートル（ｍ）の位置は本柱目盛１０２の２メートル（ｍ）の位置である。これは、１２メートル（ｍ）の本柱であれば２メートル（ｍ）の根入れ深さをもって根入れされていることに基づいている。
【００６８】
（２−１）地際高寸法に合わせた根開き尺２０１の位置設定
本例の場合、支柱の根開き寸法は５メートル（ｍ）である。そこで、根開き尺２０１の根開き目盛２０２の５メートル（ｍ）位置を地際高寸法に合わせる。つまり、地際高は、本柱の地際に対する支柱の地際の高低差である。本例の場合、地際高寸法が＋２メートル（ｍ）であるので、支柱の地際は本柱の地際から２メートル（ｍ）高い位置に位置付けられることになる。そこで、上記（１）の手順で設定した地際目盛１０４中の１２メートル（ｍ）の位置である本柱目盛１０２の２メートル（ｍ）の位置から更に＋２メートル（ｍ）の位置である本柱目盛１０２の４メートル（ｍ）の位置に、根開き尺２０１の根開き目盛２０２の５メートル（ｍ）位置を合わせる。
【００６９】
これにより、本柱尺１０１に対する根開き尺２０１の位置及び角度が設定されるので、操作ノブ４０４を時計方向に回して締結部材４０１を締め付け、本柱尺１０１と根開き尺２０１とを締結状態にする。
【００７０】
（２−２）根開き寸法に合わせた支柱尺３０１の位置設定
次いで、支柱の根開き寸法に合わせて、根開き尺２０１に対する支柱尺３０１の位置を設定する。支柱尺３０１の位置を設定するには、操作ノブ４５４を反時計方向に回して締結部材４５１を少し緩め、根開き尺２０１の根開き溝２０３内を締結部材４５１の連結軸４５５が移動できるようにする。これにより、根開き尺２０１に対してその長手方向に支柱尺３０１を移動させることができる。
【００７１】
本例の場合、根開きが５メートル（ｍ）であるので、５メートル（ｍ）の根開き目盛２０２の位置に締結部材４５１の連結軸４５５を位置合わせする。
【００７２】
（３）支柱の根入れ深さに合わせた支柱尺３０１の位置設定
次いで、支柱の地際高寸法及び根入れ深さに合わせて、支柱尺３０１の位置を設定する。この際、上記（２−２）の手順に際して締結部材４５１が緩められているので、締結部材４５１の連結軸４５５が支柱尺３０１の支柱溝３０３内を移動自在となっている。そこで、根開き尺２０１に対して支柱尺３０１を移動させ、その位置を設定する。本例の場合、本柱が１２メートル（ｍ）であるので、支柱尺３０１に記されている根入れ深さ目盛３０４中、１２メートル（ｍ）の位置を締結部材４５１の連結軸４５５に位置合わせする。根入れ深さ目盛３０４中の１２メートル（ｍ）の位置は支柱目盛３０２の１メートル（ｍ）の位置である。これは、支柱の根入れ深さは１メートル（ｍ）以上であって、本柱の根入れ深さの１／２程度であることに基づいている。つまり、本例の場合、本柱の根入れ深さは２メートル（ｍ）なので、支柱の根入れ深さは１メートル（ｍ）ということになる。
【００７３】
そして、本柱の地際に対する支柱の地際の高低差である地際高に応じた修正を行なう。本例の場合、支柱の地際高寸法が＋２メートル（ｍ）、つまり、支柱の地際は本柱の地際から２メートル（ｍ）高い位置に位置付けられることになるので、本柱の地際との高低差が中くらいであると考えられる。そこで、修正溝３０５内に締結部材４５１の連結軸４５５が位置するように支柱尺３０１の根元位置をずらす。より詳細には、本例の場合、本柱に対する支柱の高低差は中くらいであると考えられるので、修正溝３０５を横切る「中」の線の部分に締結部材４５１の連結軸４５５の位置を合わせる。これにより、本柱尺１０１に対して根開き尺２０１を傾斜させて設定する本柱の地際に対する支柱の地際の高低差に応じた修正量分の修正が行なわれ、支柱尺３０１の支柱目盛３０２に正しく支柱の長さ寸法を示すことができる。
【００７４】
（４）本柱に対する支柱の連結位置に合わせた支柱尺３０１の角度設定
そして、最後の手順として、支柱尺３０１の角度設定を行なう。本例では、本柱に対する支柱の取り付け位置が本柱の頭頂部から１．３メートル（ｍ）の位置である。そこで、本柱尺１０１の本柱目盛１０２中、図９において黒丸で示す当りが本柱の対する支柱の連結点ということになる。この黒丸は、説明の便宜上から図９に表記しているものであり、支柱丈表示尺１１には表示されていない仮想的な印である。あるいは、図９に示す黒丸は、作業時において、作業者が目印のための本柱尺１０１に記した印と解釈してもよい。いずれにしても、仮想的な黒丸あるいは作業時に付した黒丸の位置に、支柱尺３０１の中央部を位置合わせする。そして、本柱尺１０１に対して支柱尺３０１の角度を設定した後、操作ノブ４５４を時計方向に回して締結部材４５１を締め付け、根開き尺２０１と支柱尺３０１とを締結状態にする。これにより、黒丸が重なり合う支柱尺３０１の支柱目盛３０２によって、支柱の長さが表示される。
【００７５】
以上説明した（１）〜（４）の手順によって、支柱丈表示尺１１によって支柱の長さを求めることができる。この際、支柱丈表示尺１１は、本柱尺１０１が本柱を、根開き尺２０１が地面を、支柱尺３０１が支柱を、それぞれ模した形状となる。このため、求める支柱の長さ寸法を、現場における現実世界を表象した視覚形態で示すことができる。これにより、作業者に対して、支柱の長さ寸法を現場で直感的に分かる態様で示すことができる。
【図面の簡単な説明】
【００７６】
【図１】本発明の第１の実施の形態を示す支柱丈表示尺の正面図である。
【図２】支柱丈表示尺の各部として、（ａ）は本柱尺、（ｂ）は根開き尺、（ｃ）は支柱尺をそれぞれ示す正面図である。
【図３】（ａ）は本柱尺と根開き尺とを締結する締結部材の分解状態から連結状態への変化を示し、（ｂ）は根開き尺と支柱尺とを締結する締結部材の分解状態から連結状態への変化を示す側面図である。
【図４】本柱の地際と支柱の地際とが同一の高さである場合の使用態様を説明するための模式図である。
【図５】本柱の地際と支柱の地際との間に高低差がある場合の使用態様を説明するための模式図である。
【図６】本発明の第２の実施の形態を示す支柱丈表示尺の正面図である。
【図７】支柱丈表示尺の各部として、（ａ）は本柱尺、（ｂ）は根開き尺、（ｃ）は支柱尺をそれぞれ示す正面図である。
【図８】本柱の地際と支柱の地際とが同一の高さである場合の使用態様を説明するための模式図である。
【図９】本柱の地際と支柱の地際との間に高低差がある場合の使用態様を説明するための模式図である。
【符号の説明】
【００７７】
１０１  本柱尺
１０２  本柱目盛
１０４  地際目盛
１０５  根入れ深さ参考目盛
２０１  根開き尺
２０２  根開き目盛
２０３  根開き溝
３０１  支柱尺
３０２  支柱目盛
３０３  支柱溝
３０４  根入れ深さ目盛
３０５  修正溝
４５１  締結部材
４５５  連結軸
【図１】
2010049486.tif 000003
【図２】
2010049486.tif 000004
【図３】
2010049486.tif 000005
【図４】
2010049486.tif 000006
【図５】
2010049486.tif 000007
【図６】
2010049486.tif 000008
【図７】
2010049486.tif 000009
【図８】
2010049486.tif 000010
【図９】
2010049486.tif 000011